(57)【要約】      （修正有）【課題】電子機器を収納した状態では携帯機器の落下を確実に防ぎ、電子機器を収納した状態から電子機器を載置したまま折り返し部で保持部側とは反対側に折り曲げて、より少ない奥行きで電子機器ケースを立たせるとともに、電子機器を表出させつつ載置することができる電子機器ケースを提供する。【解決手段】ふた部１０３、折り返し部１０４、背面部１０５で構成され、前記背面部１０５は電子機器を載置し固定する保持部１０６を有し、第１の状態と第２の状態との間で変形可能な電子機器ケース１０１であって、前記折り返し部１０４は、前記ふた部１０３と前記背面部１０５の間に設けられ、前記ふた部１０３を前記折り返し部１０４で前記保持部側に折り曲げて前記ふた部１０３で包み込み前記電子機器を固定する第１の状態から、前記ふた部１０３を前記折り返し部１０４で前記保持部側とは反対側に折り曲げて前記電子機器を載置する前記第２の状態に変形する。【選択図】図１
2011023555.tif 000002
【特許請求の範囲】
【請求項１】
ふた部、折り返し部、背面部で構成され、前記背面部は電子機器を載置し固定する保持部を有し、第１の状態と第２の状態との間で変形可能な電子機器ケースであって、
前記折り返し部は、前記ふた部と前記背面部の間に設けられ、
前記ふた部を前記折り返し部で前記保持部側に折り曲げて前記ふた部で包み込み前記電子機器を固定する第１の状態から、前記ふた部を前記折り返し部で前記保持部側とは反対側に折り曲げて前記電子機器を載置する前記第２の状態に変形することを特徴とする電子機器ケース。
【発明の詳細な説明】
【技術分野】
【０００１】
電子機器を収納するとともに、スタンド機能を有するケースに関する。
【背景技術】
【０００２】
テレビ放送がデジタル化され、地上デジタルテレビ放送のスタートに伴い、携帯電話・移動体端末向けの1セグメント部分受信サービス（以下「ワンセグ放送」と呼ぶ）も始まり、携帯電話等への搭載が一気に進むとともに、ポータブルタイプのテレビ受信機も開発されている。ポータブルタイプのテレビ受信機に関しては、さらに、外出先でもワンセグ放送を楽しむために様々なケースも提案されており、携帯機器でのテレビ視聴が一般的に浸透し始めている。
【０００３】
図３は、従来の一般的な電子機器ケースを示す。従来の電子機器ケースは、単に電子機器を収納するためであって、ふた部３０１、背面部３０２、保持部３０３からなり、図３（ａ）及び（ｂ）で示すように、背面部３０２と保持部３０３で袋状に構成され、その袋状の部位に電子機器を収納することができる。また図３（ｃ）に示すように、ふた部３０１を開けることで、収納した電子機器を取り出すことができる。
【０００４】
さらに、特許文献１には、外出先でも手軽に携帯電話を置くことができる「携帯スタンド」と「携帯ケース」が一体となった形状のスタンド機能付き携帯電話ケースが開示されている。
【先行技術文献】
【特許文献】
【０００５】
【特許文献１】特開２００１−２５７７５７号公報
【発明の概要】
【発明が解決しようとする課題】
【０００６】
しかしながら、特許文献１で開示されている従来の電子機器ケースは、携帯ケースとして使用するときは、収納した電子機器が開口部から落下してしまうおそれがあり収納性に問題がある。また携帯スタンドとして使用するときは、上蓋面を反対側に回転して開き、上蓋面がそのままスタンドの支えとなるため、奥行きが上蓋面の高さ分あり、コンパクトさに欠ける。
【課題を解決するための手段】
【０００７】
そこで、従来の課題を解決するため、本発明の電子機器ケースは、ふた部、折り返し部、背面部で構成され、前記背面部は電子機器を載置し固定する保持部を有し、第１の状態と第２の状態との間で変形可能な電子機器ケースであって、前記折り返し部は、前記ふた部と前記背面部の間に設けられ、前記ふた部を前記折り返し部で前記保持部側に折り曲げて前記ふた部で包み込み前記電子機器を固定する第１の状態から、前記ふた部を前記折り返し部で前記保持部側とは反対側に折り曲げて前記電子機器を載置する前記第２の状態に変形する。
【０００８】
このようにすれば、電子機器を収納したまま、折り返し部で前記保持部側とは反対側に折り曲げることで、電子機器を表出させつつ載置することができる。
【発明の効果】
【０００９】
以上のように、本発明の電子機器ケースによれば、電子機器を収納した状態では、携帯機器の落下を確実に防ぎ、その電子機器を収納した状態から、電子機器を載置したまま、折り返し部で保持部側とは反対側に折り曲げて、より少ない奥行きで電子機器ケースを立たせるとともに、電子機器を表出させつつ載置することができる。
【図面の簡単な説明】
【００１０】
【図１】本発明の実施の形態における電子機器ケースの平面図
【図２】本発明の実施の形態における電子機器ケースの斜視図
【図３】従来の電子機器ケースを示す図
【発明を実施するための形態】
【００１１】
以下、本発明の実施の形態にかかる電子機器ケースを説明する。
【００１２】
図１は、本発明の実施の形態にかかる電子機器ケースの斜視図である。電子機器ケース１０１は、電子機器１０２を収納することができるケースである。
＜１．電子機器ケースの構成＞
本実施の形態で用いられる各部の名称ならびにその構成を、図１を用いて説明する。
【００１３】
図１（ａ）、（ｂ）、（ｃ）、（ｄ）はそれぞれ、電子機器ケース１０１を広げた状態の正面図、広げた状態の背面図、閉じた状態の正面図、閉じた状態の側面図である。
【００１４】
図２は、図１（ａ）、（ｂ）、（ｃ）、（ｄ）はそれぞれ、電子機器ケースのスタンド機能の状態とスタンド状態の側面図である。
【００１５】
電子機器ケース１０１は、ふた部１０３、折り返し部１０４、背面部１０５、保持部１０６、ベルト部１１０で構成される。
【００１６】
ふた部１０３は、磁石で構成された第１の結合部１０９を有する。ふた部１０３は、保持部１０６側に折り返し部１０４で折り返し、第１の結合部１０９を利用してベルト部１１０と結合することで、電子機器１０２を収納する
折り返し部１０４は、電子機器を収納するために用いられると共に、柔軟性のある素材で構成され、保持部１０６の反対（背面）側にも折り曲げが可能となっている。
【００１７】
背面部１０５は、電子機器を収納するために、保持部１０６と連結部１０８で結合する。背面部１０５は、電子機器１０２が滑らないように固定するために、摩擦部１０７を有する。なお、摩擦部１０７は、電子機器１０２が滑らず固定できれば、無くてもかまわない。さらに背面部１０５は、ふた部１０３の第１の結合部１０９と結合する第２の結合部１１１を有するベルト部１１０が繋がっている。
【００１８】
ベルト部１１０は、背面部１０５と繋がると共に、少なくとも２箇所が柔軟性のある素材で構成され、保持部１０６の反対（背面）側にも折り曲げることができる構成をとる。。
【００１９】
保持部１０６は、電子機器１０２の表示部が閲覧できるように、大きく開口するとともに、背面部１０５を連結部１０８で結合させていることで、電子機器１０２を収納するスペースを形成している。
＜２．電子機器ケースの動作＞
（１）電子機器を収納することができるケース状態
電子機器ケース１０１は、ふた部１０３を保持部１０６側に折り返し部１０４で折り返すことで、保持部１０６と背面部１０５を連結部１０８で結合することで形成された収納スペースに電子機器を置き、ふた部１０３の第１の結合部とベルト部１１０の第２の結合部を結合させ、電子機器１０２を収納することができる。
【００２０】
（２）電子機器を載置することができるスタンド状態
（１）で説明したケース状態から、電子機器の表示がみえるように載置することができるスタンド状態に変形する方法を示す。
【００２１】
図２（ａ）に示すように、ふた部１０３を折り返し部１０４で保持部１０６の開口部と反対側に折り曲げて、ベルト部１１０の第２の結合部１１１（金属製）とふた部１０３の磁石による第１の結合部１０９と結合させる。これにより、図２（ｂ）に示すように、ベルト部１１０一部（柔軟性のある素材で構成された部分の間の部分）とふた部１０３の端面が設置場所に平行に接することで、安定して立脚することができる。
【００２２】
以上のように、電子機器１０２を載せたまま、ケース状態からスタンド状態に変形することができ、図２（ｃ）に示すように、電子機器１０２の表示部を表出させながら、保持部１０６と背面部１０５を連結部１０８で結合することで形成された収納スペースに電子機器１０２が置かれることになる。
【００２３】
なお、本実施の形態では、折り返し部とふた部の結合は磁石を用いたが、結合できれば磁石以外のものでもかまわない。
＜３．実施の携帯と本発明の対応関係＞
電子機器ケース１０１は、電子機器ケースの一例である。ふた部１０３は、ふた部の一例である。折り返し部１０４は、折り返し部の一例である。背面部１０５は、背面部の一部である。保持部１０６は、保持部の一部である。第１の状態は、ケース状態の一例である。第２の状態は、スタンド状態の一例である。
【産業上の利用可能性】
【００２４】
本発明にかかる電子機器ケースは、ポータブルテレビだけではなく、表示部で情報表示が必要な機器で有用である。
【符号の説明】
【００２５】
１０１    電子機器ケース
１０２    電子機器
１０３    ふた部
１０４    折り返し部
１０５    背面部
１０６    保持部
１０７    摩擦部
１０８    連結部
１０９    第１の結合部
１１０    ベルト部
１１１    第２の結合部
【図１】
2011023555.tif 000003
【図２】
2011023555.tif 000004
【図３】
2011023555.tif 000005